(57)【要約】【課題】頭髪の装飾を可能にする装飾品において、頭部の大きさに関わらず装着可能で多様な使い方もでき、そのうえ良好な装着状態と外観が得られるようにする。【解決手段】柔軟に変形するシート状の外装材１２の裏面に、頭髪３１に分け入って係止する面ファスナ状の係止部１７を裏面に有した変形可能な係止シート１３を備える。外装材１２と係止シート１３の間には、変形可能で変形したときの形状を保持する保形部材１４を備える。【選択図】図１
2015146979.tif 000002
【特許請求の範囲】
【請求項１】
変形可能な外装材の裏面に、毛に分け入って係止する面状の係止部を裏面に有した変形可能な係止シートを備えるとともに、
これら外装材と係止シートの間に、変形可能で変形したときの形状を保持する保形部材が備えられた
装飾品。
【請求項２】
前記係止部が、前記係止シートの裏面からのびる可撓性を有したピン部と、該ピン部の少なくとも先端に形成され外周側に飛び出す張り出し部を有した複数の係止ピンで構成された
請求項１に記載の装飾品。
【請求項３】
前記保形部材が、前記係止シートにおける前記外装材側の面に固定された
請求項１または請求項２に記載の装飾品。
【発明の詳細な説明】
【技術分野】
【０００１】
この発明は、たとえば頭髪などに取り付けられるような装飾品に関する。
【背景技術】
【０００２】
頭髪のための装飾品として、たとえば下記特許文献１に開示の装飾品がある。この装飾品はカチューシャのように頭部を挟み付けるようにして装着するものである。すなわち、装飾品は両端部の間隔が狭い略逆Ｕ字状に形成されており、頭部の両側部に相当する両端部の内面には、くし歯を備えて頭髪に係合するように構成されている。
【０００３】
しかし、この装飾品は、人体の平均的な頭部形状を元に一定の大きさに形成されているので、ぴったりとした装着状態を得られないことがある。また、装飾品の装着態様はほとんど同じで、多様な使い方はできない。
【０００４】
頭部の大きさに関わらず装着できるうえに多様な使い方ができる装飾品として、下記特許文献２に開示されたものがある。この装飾品は、装飾が施された飾り部の裏面に、面ファスナのフック部を備えた構成である。装着に際して頭部を挟む必要はないので頭部の大きさに関わりなく使用でき、面ファスナのフックが頭髪に係合するので頭髪のどこにでも装着できる。
【０００５】
しかしながら、飾り部はあらかじめ形成された所定の形状のままであるので、平らな形状の飾り部は、曲面だらけの頭部に装着したときに外周部分は頭部から浮く。外周部が浮いていても、中央部分の面ファスナがしっかりと係合していれば外れにくい状態は得られるが、たとえば手など他の物と不測に当たったときには大きく位置ずれしたり脱落したりしてしまう。
【０００６】
また、頭部から浮いた部分でも面ファスナは頭髪に係合しようとするので、その部分の頭髪は不自然に浮き上がった状態となり、外観上好ましくない。このような不都合は、面ファスナが見えることによっても助長される。
【先行技術文献】
【特許文献】
【０００７】
【特許文献１】特開平１１−７５９３０号公報
【特許文献２】登録実用新案第３１７０９０３号公報
【発明の概要】
【発明が解決しようとする課題】
【０００８】
そこで、この発明は、装着対象の大きさに関わらず装着可能で多様な使い方もでき、そのうえ良好な装着状態と外観が得られるようにすることを主な目的とする。
【課題を解決するための手段】
【０００９】
そのための手段は、変形可能な外装材の裏面に、毛に分け入って係止する面状の係止部を裏面に有した変形可能な係止シートを備えるとともに、これら外装材と係止シートの間に、変形可能で変形したときの形状を保持する保形部材が備えられた装飾品である。
【００１０】
この構成の保形部材は、自らの変形によって外装材と係止シートを装着対象に対応する形状に変形させる。そして、その形状を保持することによって係止シートの係止部をより広い範囲にわたって毛に十分に係止させる。
【発明の効果】
【００１１】
この発明によれば、係止シートの係止部が頭髪等の毛に係止するので、装着対象の大きさに関わらず装着可能であるうえに、取り付け位置を自由に設定し多様な使用態様を得られる。しかも、装飾品は取り付け対象の形状に対応して変形可能であり、装着対象になじむ形状が得られる。このため装着箇所に応じて美麗な外観を得られる。また、変形時の形状が保持されるので、外れにくい良好な装着状態が得られる。しかも装飾品が装着対象から部分的に浮き上がることを抑制できるので、係止部が露出することを抑制し、装着対象や装飾品の良好な外観も得られる。
【図面の簡単な説明】
【００１２】
【図１】装飾品とその使用状態の斜視図。
【図２】装飾品の分解斜視図。
【図３】装飾品の断面図。
【図４】装飾品の他の例を示す斜視図。
【図５】装飾品の作用状態の説明図。
【図６】他の例に係る装飾品の平面図。
【図７】図５のＡ−Ａ断面図。
【発明を実施するための形態】
【００１３】
この発明を実施するための一形態を、以下図面を用いて説明する。  
図１は頭髪３１に装着するのに好適な装飾品１１の斜視図であり、この装飾品１１は、頭髪に乗せて押さえつけられると、頭部５２の該当部位の形状に対応した形状に変形し、この状態で頭髪５１に係止するものである。
【００１４】
この例において装飾品１１の平面視形状は、短冊のように細長い板状で、両端部側の部分が端部ほど狭くなる形状に形成されている。このほかに、たとえば楕円形、リボン型、ハート形、各種キャラクターの形など、適宜の形状に形成してもよい。
【００１５】
装飾品１１は、図２に示したように、変形可能な外装材１２と、この外装材１２の裏面に設けられる変形可能な係止シート１３を備える。これら外装材１２と係止シート１３の間には、変形可能で変形したときの形状を保持する保形部材１４と、保形部材１４の上を覆い外装材１２と係止シート１３の溶着を可能にする柔軟な介装シート１５を有する。
【００１６】
前記外装材１２は、装飾品１１の平面視形状と同じ形状のシート状で、適宜の材料で形成され、表面には適宜の色彩、色柄、模様などの装飾１２ａが付与されている。必要であれば飾り玉やシール、反射テープなど適宜の部材を取り付けることもできる。
【００１７】
前記係止シート１３も、装飾品１１の平面視形状と同じ形状である。係止シート１３は、適宜材料からなるシート状の基材１６と、この基材１６の裏面に一体に設けられた面状の係止部１７で構成されている。
【００１８】
係止部１７は合成樹脂モノフィラメントを基材１６に縫い込むことによって植設される。係止部１７は、図３に示したように、基材１６の裏面からのびる可撓性を有したピン部１８ａと、このピン部１８ａの先端に形成されキノコの傘のように全周に張り出す張り出し部１８ｂを有した複数の係止ピン１８で構成されている。張り出し部１８ｂの先端は球面状である。係止ピン１８の長さは、装着対象によって適宜設定されるが、たとえば３．５ｍｍ〜５ｍｍ程度の範囲で設定するとよい。
【００１９】
このような係止部１７は、基材１６の裏面の略全面に均等に形成されている。
【００２０】
前記保形部材１４は、前述の性状を有するものであれば適宜のものを使用できるが、軽量であり保形性にも優れることから、積水成型工業株式会社製の「フォルテ（登録商標）」を用いるのが望ましい。
【００２１】
保形部材１４は帯状で、係止シート１３の基材１６の長さより若干短い。この保形部材１４は係止シート１３の基材１６における前記外装材１２側の面、つまり表面に固定される。固定は、装飾品１１が前述のように細長い形状であるので、その長手方向に沿って略全体にわたって行う。固定には接着剤を用いる。
【００２２】
固定に際しては、図４に示したように、保形部材１４の長手方向の中間部を不連続にすることもできる。つまり保形部材１４は、装飾品１１の長さの半分未満のものを２本、間隔をあけで固定する。このように保形部材１４が連続しない間欠部１３ａを形成すると、取扱い時に特別の力を加えずとも装飾品１１を折り曲げた状態にできる。
【００２３】
前記介装シート１５は熱溶着性のシートで、装飾品１１の平面視形状と同じ形状である。この介装シート１５は、保形部材１４と外装材１２との間に位置して緩衝の役割を果たすとともに、外装材１２と係止シート１４の一体化を行うものである。
【００２４】
つまり製造において、前述の外装材１２と、介装シート１５と、保形部材１４を固定した係止シート１３を順に重ねて、図３に示したように外周縁全体を熱溶着する。これにより、すべての部材が一つになった装飾品１１が得られる。
【００２５】
このような構成の装飾品１１は次のように使用される。  
装飾品１１の係止シート１３側の面を下にして頭髪３１の所望の位置に乗せて上から押さえる。図示例の装飾品１１は、カチューシャのように使用できる形状であるので、長手方向の両側を頭部３２の左右に位置させて、所望の位置に乗せる。
【００２６】
装飾品１１を頭髪３１に押さえることによって、係止部１７を構成する係止ピン１８は多数の毛を有する頭髪３１内に分け入って、頭髪３１と絡み合いながらその接触抵抗と係止ピン１８の張り出し部１８ｂで係止する。
【００２７】
このとき、図５に示したように、装飾品１１が平板状であっても頭部３２の湾曲面に沿って変形し、保形部材１４がその変形した形状を維持する。そして、係止部１７による頭髪３１に対しての係止を広い範囲で良好に行わせる。
【００２８】
このため、装飾品１１は頭部３２及び頭髪３１の形になじみ、美麗な外観を得られる。係止部１７が櫛のような役割も果たすうえに、装飾品１１が所望の形を保持するので、係止箇所の近傍の頭髪を整えることもできる。
【００２９】
しかも保形部材１４は係止シート１３の表面に接着固定されているので、形状の保持は係止シート１３に対して直接的に行える。このため、装飾品１１の変形が実効性あるものとなる。
【００３０】
保形部材１４の上には介装シート１５を備えるので、保形部材１４の形が外装材１２に外観上あらわれることを抑制でき、美麗な外観を得られる。
【００３１】
係止ピン１８は先端が球面状であるとともに、係止ピン１８で構成される係止部１７は面の広がりを有するので、頭皮に当たっても痛くなくはない。また係止ピン１８は、ピン部１８ａと張り出し部１８ｂで頭髪３１に係止するので、良好な係止状態が得られる。
【００３２】
装飾品１１の形状は頭髪３１になじんだ状態で維持されるので、外れにくい良好な装着状態となる。装飾品１１が頭髪３１から部分的に浮き上がることを抑制することもできるので、係止部１７が露出することを抑制する。このため、頭髪３１や装飾品１１の良好な外観がられる。
【００３３】
また、装飾品１１は係止シート１３の係止部１７で頭髪３１に係止するものであるので、頭部３２の形状に関わらず使用でき、装飾品１１の形状や装飾に応じて自由に取り付け位置を設定でき、多様な使用態様が得られる。
【００３４】
以下、その他の形態について説明する。この説明において前述の構成と同一または同等の部位については同一の符号を付してその詳しい説明を省略する。
【００３５】
図６は、ペットの被毛に装着するのに適した装飾品１１の平面図である。この装飾品１１は、装飾形状に形成した外装材１２を有し、外装材１２の裏面には、図７に示したように前述の構成と同様、介装シート１５と、保形部材１４を固定した係止シート１３を順に備えている。
【００３６】
外装材１２は、犬や猫の足の裏イメージした装飾形状に形成され、表面における肉球に対応する部位には、複数の反射シート１９が接着等により固定されている。
【００３７】
このように構成した装飾品１１では、ペットの被毛に装着することによって、ペットを装飾するとともに、夜間の散歩等において、接近する車両等にペットの存在を知らせることができる。
【００３８】
この発明の構成と前述の一形態の構成との対応において、  
この発明の毛は、前記頭髪３１、ペットの被毛に対応するも、  
この発明は前述の構成のみに限定されるものではなく、その他の形態を採用することもできる。
【００３９】
たとえば、頭髪や被毛のほか、たとえば毛深い着ぐるみなどに使用する構成としてもよい。
【００４０】
外装材と係止シートの結合は、外装材を係止シートの裏面側に織り込むようにして行ってもよく、溶着以外の方法で行ってもよい。この場合には、介装シートを省略したり、介装シートに熱溶着性でないものを使用したりすることができる。
【００４１】
外装材の下には、クッション材や適宜の形を表現する部材、香料などを収容してもよい。
【００４２】
また、係止ピンの張り出し部は、ピン部の全周に飛び出すものではなく、一部に飛び出すものであってもよく、張り出し部は先端の他に長手方向の中間部にも形成されていてもよい。
【００４３】
係止シートの係止部は、柔軟な櫛歯状のものなどを使用することもできる。
【符号の説明】
【００４４】
１１…装飾品
１２…外装材
１３…係止シート
１４…保形部材
１７…係止部
１８…係止ピン
１８ａ…ピン部
１８ｂ…張り出し部
３１…頭髪
【図１】
2015146979.tif 000003
【図２】
2015146979.tif 000004
【図３】
2015146979.tif 000005
【図４】
2015146979.tif 000006
【図５】
2015146979.tif 000007
【図６】
2015146979.tif 000008
【図７】
2015146979.tif 000009